(57)【要約】【課題】調理の加熱時間や加熱温度を設定する設定用ツマミを操作する際に、指先が操作キーシート面に擦れず、タイマ軸が傾いたり、タイマ本体が傾いて取付けられた場合でも、設定用ツマミが操作キーシート面に対してフラフラと蛇行するように見えることをなくし、操作時の品位を向上すること。【解決手段】調理の加熱時間や加熱温度を設定する入力装置である操作パネル２と、設定用ツマミ５と、設定用ツマミ５の取付け部に設けた台座４とを備え、台座４が従来構成の設定用ツマミ５の底部フランジ６と同様の役割を果たすので、指先が操作キーシート３面に擦れることがなくなり、簡単な構成で操作感を損ねず、さらに、台座４を設けることで設定用ツマミ５の底部と操作キーシート３を離すので、タイマ軸が傾いたり、タイマ本体が傾いて取付けられた場合でも、設定用ツマミ５がフラフラと蛇行するように見えることはなく、操作時の品位を向上することができる。【選択図】  図１
2004212011.tif 000002
【特許請求の範囲】
【請求項１】
食品を加熱する加熱室と、加熱手段と、調理器本体の前面に設けられた操作パネルと、前記操作パネルを構成する樹脂材料よりなるパネルベースと、操作パネルの前面に設けられ、調理メニューや操作キーを表示した操作キーシートと、調理の加熱時間や加熱温度を設定する設定用ツマミと、設定用ツマミの取付け部に設けたパネルベースの台座と、設定用ツマミの保持用ボスが挿入される操作パネルに設けた貫通穴と、貫通穴周辺に、操作キーシート面より突出したパネルベースの円筒状リブとを備え、前記台座は、その先端径が設定用ツマミの根元径と略同一径をなし、台座の根元径は先端径より大きくしてなる加熱調理器。
【請求項２】
台座の斜辺は、凹曲面形状としてなる請求項に１記載の加熱調理器。
【請求項３】
台座の高さは、２ｍｍ以上とし、その斜辺の曲面ＲはＲ３ｍｍ以下にしてなる請求項１または２に記載の加熱調理器。
【請求項４】
台座は、設定用ツマミと操作キーシートの間に挟持し、操作キーシートの上に重ねて配設してなる請求項１、２または３に記載の加熱調理器。
【請求項５】
パネルベースの円筒状リブは、その外径面に複数個の三角突起状リブを備え、台座の内径を円筒状リブに圧入保持してなる請求項４に記載の加熱調理器。
【請求項６】
台座は、その内径面に複数個の三角突起状リブを備え、操作キーシート面より突出したパネルベースの円筒状リブに圧入保持してなる請求項４に記載の加熱調理器。
【請求項７】
パネルベースの円筒状リブは、台座より高く突出し、設定用ツマミ底面とオーバーラップしてなる請求項１〜６のいずれか１項に記載の加熱調理器。
【請求項８】
設定用ツマミの保持用ボス部は、その内径面に複数個の三角突起状リブを備え、タイマー等の回転操作軸に圧入保持してなる請求項１〜７のいずれか１項に記載の加熱調理器。
【発明の詳細な説明】
【０００１】
【発明の属する技術分野】
本発明は、調理の加熱時間や加熱温度を設定する設定用ツマミを有した加熱調理器に関するものである。
【０００２】
【従来の技術】
従来、この種の加熱調理器としては、図４や図５に記載されているようなものがある（例えば特許文献１参照）。
【０００３】
図４および図５において、２は操作パネル、３は操作キーシート、５は設定用ツマミ、６は設定用ツマミの底部フランジ、９は操作パネルの円筒状リブ、１０はタイマ本体、１１はタイマ軸、２７は操作キーシートと設定用ツマミの底部フランジとの隙間である。
【０００４】
【特許文献１】
特開平７−１１９９８５号公報
【０００５】
【発明が解決しようとする課題】
しかしながら、前記従来の構成では、タイマ軸が傾いたり、タイマ本体が傾いて取付けられた場合には、設定用ツマミを回転すると、操作キーシートと設定用ツマミの底部フランジとの隙間が変化して、設定用ツマミがふらふらと蛇行しているように見えるので甚だ品位を損なうという課題を有していた。タイマ軸と操作パネル面との直角度のわずかなずれでも、設定用ツマミの底部フランジの外径が大きい程、設定用ツマミを回転したときの操作キーシートと底部フランジとの隙間の差は大きくなり、蛇行現象が大きくなるので、使用者にとっては加熱装置に不具合が有るかのように感じることがある。蛇行現象を小さくするには、底部フランジの外径を小さくするか、設定用ツマミの外径を小さくする必要があるが、底部フランジは使用者が設定用ツマミを回す時に、操作パネル面に指が擦れないようにするのが目的であるから、底部フランジが小さくなれば指先や爪先が操作キーシートに擦れてしまい、操作キーシートが傷ついたり、操作キーシートとの摩擦を感じて操作感を損ねるという課題を有していた。また、設定用ツマミの外径を小さくすれば、使用者が設定用ツマミを持って回転させる際に持ち難く、力が加え難いという課題を有していた。また、操作キーシートと底部フランジとの隙間を大きくして蛇行現象を小さく見せることも出来るが、そのようなデザインでは、設定用ツマミと操作パネルの一体感を損ね甚だ品位を損ない、その隙間に異物が入り易くなるという課題を有していた。
【０００６】
本発明は、前記従来の課題を解決するもので、簡単な構成で操作感がよく、デザイン面での品位を向上させ、取り扱い易い設定用ツマミを有した加熱調理器を提供することを目的とする。
【０００７】
【課題を解決するための手段】
前記従来の課題を解決するために、本発明の加熱調理器は、操作パネルの前面に設けられ、調理メニューや操作キーを表示した操作キーシートと、調理の加熱時間や加熱温度を設定する設定用ツマミと、設定用ツマミの取付け部に設けたパネルベースの台座と、設定用ツマミの保持用ボスが挿入される操作パネルに設けた貫通穴と、貫通穴周辺に、操作キーシート面より突出したパネルベースの円筒状リブとを備え、前記台座は、その先端径が設定用ツマミの根元径と略同一径をなし、台座の根元径は先端径より大きくしたものである。
【０００８】
これによって、台座が設定用ツマミの底部フランジの役割を果たすので、設定用ツマミに底部フランジを設けなくても、指先が操作キーシート面に擦れることがなくなるので設定用ツマミの外径を小さくすることができ、設定用ツマミの底部の径が大きくてふらふらと蛇行するように見えることを少なくできる。
【０００９】
さらに、設定用ツマミの底部と操作キーシートは台座を介して離れているので、タイマ軸が傾いたり、タイマ本体が傾いて取付けられた場合でも、設定用ツマミが操作キーシート面に対しふらふらと蛇行しているように見えることがなくなり、使用者が設定用ツマミに不具合が有るかのように感じることもなく、品位を向上することができる。
【００１０】
【発明の実施の形態】
請求項１に記載の発明は、食品を加熱する加熱室と、加熱手段と、調理器本体の前面に設けられた操作パネルと、前記操作パネルの本体を構成する樹脂材料よりなるパネルベースと、操作パネルの前面に設けられ、調理メニューや操作キーを表示した操作キーシートと、調理の加熱時間や加熱温度を設定する設定用ツマミと、設定用ツマミの取付け部に設けたパネルベースの台座と、設定用ツマミの保持用ボスが挿入される操作パネルに設けた貫通穴と、貫通穴周辺に、操作キーシート面より突出したパネルベースの円筒状リブとを備え、前記台座は、その先端径が設定用ツマミの根元径と略同一径をなし、台座の根元径を先端径より大きくすることにより、台座が設定用ツマミの底部フランジの役割を果たすので、設定用ツマミの底部フランジを設けなくても、指先が操作キーシート面に擦れることがなくなるので設定用ツマミの外径を小さくでき、設定用ツマミの底部の径が大きくてふらふらと蛇行しているように見えることを少なくできる。さらに、設定用ツマミの底部と操作キーシートは台座を介して離れているので、タイマ軸が傾いたり、タイマ本体が傾いて取付けられた場合でも、設定用ツマミが操作キーシート面に対しふらふらと蛇行しているように見えることがなくなり、使用者が設定用ツマミに不具合が有るかのように感じることもなく、品位を向上するすることができる。
【００１１】
請求項２に記載の発明は、特に、請求項１に記載の台座の斜辺を、凹曲面形状とすることにより、前面から操作パネルを見た場合に台座がへこんでいるので、台座が大きく見えないような視覚的効果を得ることができ、台座を設けることによる重量感や圧迫感を廃して、外観品位を向上することができる。
【００１２】
請求項３に記載の発明は、特に、請求項１ないし２に記載の台座の高さを、２ｍｍ以上とし、その斜辺の曲面ＲをＲ３ｍｍ以下にすることにより、指先が設定用ツマミからはみ出した場合でも、台座の斜辺の曲面が指先の曲面よりへこんでいるため、使用者が設定用ツマミを回す時に、台座の斜辺に指が擦れないようにし、指先が操作キーシート面に擦れること防止することができる。
【００１３】
請求項４に記載の発明は、特に、請求項１に記載の台座を分離し、設定用ツマミと操作キーシートの間に挟持し、操作キーシートの上に重ねて配設ことにより、操作キーシートには台座の外径より小さな孔を設けてパネルベースの円筒状リブを突出させれば良く、孔は台座の下にかくれ、台座は操作キーシートの上に密接できるので、台座と操作キーシートの間の隙間をなくすことが出来、外観品位を向上することができる。また、隙間部分にゴミが浸入付着することがなく清潔である。
【００１４】
請求項５に記載の発明は、特に、請求項４に記載のパネルベースの円筒状リブの外径面に複数個の三角突起状リブを備え、台座の内径を円筒状リブに圧入する際に三角突起状リブを潰すことで、台座を圧着保持することにより、台座を操作キーシートの表面に圧入固定するために、台座の底面に接着テープ等を貼り操作キーシート面に接着する必要をなくすことができる。
【００１５】
請求項６に記載の発明は、特に、請求項４に記載の台座の内径面に複数個の三角突起状リブを備え、操作キーシート面より突出したパネルベースの円筒状リブに圧入する際に三角突起状リブを潰すことで、台座を円筒状リブに圧入保持することができる。特に、請求項５に記載の円筒状リブの外径面に複数個の三角突起状リブを設けた場合と比較して、樹脂成形金型を作成する際に金型表面を一部ケガクように削るだけでよく、三角突起状リブ高さの変更も容易に行なえるので金型作成の時間と費用を削減することが出来る。
【００１６】
請求項７に記載の発明は、特に、請求項１ないし６に記載のパネルベースの円筒状リブを台座より高く突出し、設定用ツマミ底面とオーバーラップすることにより、設定用ツマミ周囲の隙間から侵入する水や静電気等のノイズを防ぐことができる。
【００１７】
請求項８に記載の発明は、特に、請求項１ないし７に記載の設定用ツマミの保持用ボス部の内径面に複数個の三角突起状リブを備え、タイマー等の回転操作軸に圧入する際に三角突起状リブを潰すことで、保持用ボス部の外周に締付用のスプリングばねをはめ込むなどの手段を用いずとも、設定用ツマミをタイマー等の回転操作軸に容易に圧入保持することができる。
【００１８】
【実施例】
以下本発明の実施例について、図面を参照しながら説明する。
【００１９】
（実施例１）
図１は、本発明の第１の実施例における加熱調理器の操作パネルの要部断面図を示すものである。
【００２０】
図１において、３は調理メニューや操作キーを表示した操作キーシートであり、調理の加熱時間や加熱温度を設定する設定用ツマミ５と有機的に関連して操作パネル２の操作入力装置を構成している。４は設定用ツマミ５の取付け部に設けらたパネルベース１０の台座で、設定用ツマミ５の保持用ボス８が挿入される操作パネル２に設けた貫通穴１８と、貫通穴１８周辺に、操作キーシート３面より突出したパネルベース１０の円筒状リブ９とを備えている。台座４は、その先端径ｄが設定用ツマミ５の根元径ｄと略同一径をなし、台座４の根元径Ｄは先端径ｄより大きくしている。台座４の高さｈは２ｍｍ以上とし、その斜辺は凹曲面形状をなし、その曲面ＲはＲ３ｍｍ以下としている。保持用ボス８の内径面には複数個の三角突起状リブ１５を備えタイマー等の回転操作軸１１に圧入保持されている。パネルベース１０の円筒状リブ９（高さＨ）は台座４（高さｈ）より高く突出し、設定用ツマミ５の底面とオーバーラップしている。
【００２１】
以上のように構成された加熱調理器について、以下にその動作、作用を説明する。
【００２２】
まず、調理をしようと所望の操作キーシート３上に設けた調理メニューの操作キーを押し、設定用ツマミ５により調理時間や温度の設定を行なう時に、台座４の先端径ｄを設定用ツマミ５の根元径ｄと略同一径とし、根元径Ｄを先端径ｄより大きくしているので、台座４が従来の構成の設定用ツマミ５の底部フランジ６（図５に記載）と略同一形状となり、指先が操作キーシート３面に擦れないよう底部フランジ６と同様の役割を果たす。さらに、台座４を設けることで設定用ツマミ５の底部と操作キーシート３は、設定用ツマミ５の回転に合わせて動くことのない台座４を介して離れており、設定用ツマミ５と操作キーシート３は相互の距離関係を直接的に変化させることはない。また、台座４の斜辺が凹曲面形状をしているので、台座４を正面から見た場合に台座４がへこんで見える。また、台座４の高さが２ｍｍ以上あり、その斜辺の曲面ＲがＲ３ｍｍ以下であると、使用者が設定用ツマミ５を持って操作しても、指先の曲率よりも台座４の斜辺の曲面Ｒが小さいために、指先が台座４の斜辺に擦れることはない。また、パネルベース１０の円筒状リブ９を台座４より高く突出し、設定用ツマミ５底面とオーバーラップさせているので、設定用ツマミ５と台座４の隙間から水や静電気等のノイズが貫通穴１８から浸入することはない。また、設定用ツマミ５の保持用ボス部８の内径面に設けられた複数個の三角突起状リブ１５は、タイマー等の回転操作軸１１に圧入する際に潰れ、設定用ツマミ５をタイマー等の回転操作軸１１に圧入保持する。
【００２３】
以上のように、本実施例に置いては、設定用ツマミ５により調理時間や温度の設定を行なう時に、台座４の先端径ｄを設定用ツマミ５の根元径ｄと略同一径とし、根元径Ｄを先端径ｄより大きくすることにより、台座４が従来構成の設定用ツマミ５の底部フランジ６と略同一形状となり同様の役割を果たすので、指先が操作キーシート３面に擦れることがなくなり、操作感を損ねない。さらに、台座４を設けることで設定用ツマミ５の底部と操作キーシート３は、設定用ツマミ５の回転に合わせて動くことのない台座４を介して離れているので、タイマ軸が傾いたり、タイマ本体が傾いて取付けられた場合に、設定用ツマミ５が回転して操作キーシート３面との距離が変化しても、設定用ツマミ５がフラフラと蛇行するように見えることはなく、使用者が設定用ツマミ５に不具合が有るかのように感じることがなく、操作時の品位を向上するすることができる。また、台座４の斜辺を凹曲面形状とすることにより、台座４を正面から見た場合に台座４がへこんでいるため、大きく膨らんだ重苦しい重量感、不必要な邪魔物が有るかのような圧迫感を使用者に与えることがないので、デザイン上すっきりした効果を得ることができる。また、台座４の高さが２ｍｍ以上あり、その斜辺の曲面ＲがＲ３ｍｍ以下であると、使用者が設定用ツマミ５を持って操作しても、指先の曲率よりも台座４の斜辺の曲面Ｒが小さいために、操作中に指先が台座４の斜辺に擦れるのを防ぐことができ、操作感を向上するすることができる。また、パネルベース１０の円筒状リブ９を台座４より高く突出し、設定用ツマミ５底面とオーバーラップすることにより、設定用ツマミ５の隙間から侵入する水や静電気等のノイズが貫通穴１８から浸入するのを防ぐので、使用中の故障の原因を低減することができる。また、設定用ツマミ５の保持用ボス部８の内径面に複数個の三角突起状リブ１５を備え、タイマー等の回転操作軸１１に圧入する際に三角突起状リブ１５を潰すことで、保持用ボス部８の外周に締付用のスプリングバネ１３（図２に記載）をはめ込むなどの手段を用いずとも、設定用ツマミ５をタイマー等の回転操作軸１１に容易に圧入保持することができる。
【００２４】
（実施例２）
図２は、本発明の第２の実施例の加熱調理器の操作パネルの要部断面図である。図２において、４は特に、請求項１に記載の台座を分離したもので、設定用ツマミ５と操作キーシート３の間に挟持し、操作キーシート３の上に重ねて配設している。操作キーシート３には、台座４の外径より小さく、パネルベース１０の円筒状リブ９を突出させる孔を設け、孔を台座の下にかくしている。また、パネルベース１０の円筒状リブ９の外径面に複数個の三角突起状リ１２ブを備え、台座４の内径を円筒状リブ９に圧入する際に、三角突起状リブ１２を潰すことで、台座４を圧入保持している。
【００２５】
以上のように構成された加熱調理器について、以下にその動作、作用を説明する。
【００２６】
まず、台座４をパネルベース１０から分離し、設定用ツマミ５と操作キーシート３の間に挟持し、操作キーシート３の上に重ねて配設することにより、操作キーシート３には、台座４の外径より小さく、パネルベース１０の円筒状リブ９を突出通過させる孔を設ければ良い。孔は台座の下にかくれ、台座４を操作キーシート３の上に密接できるので、台座４と操作キーシート３の間の隙間をなくすことができる。また、隙間部分にゴミが浸入付着することがなくなる。また、パネルベース１０の円筒状リブ９の外径面に複数個の三角突起状リ１２ブを備え、台座４の内径を円筒状リブ９に圧入する際に三角突起状リブ１２を潰すことで、台座４を特別な接着方法を用いなくても簡単に圧入保持することができる。
【００２７】
以上のように、台座４をパネルベース１０から分離することにより、台座４を設定用ツマミ５と操作キーシート３の間に挟持し、操作キーシート３の上に重ねて配設することにより、操作キーシート３には、台座４の外径より小さく、パネルベース１０の円筒状リブ９を突出させる孔を設ければ良く、孔は台座の下にかくれ、台座４を操作キーシート３の上に密接できるので、台座４と操作キーシート３の間の隙間をなくすことが出来、外観品位を向上することができる。また、隙間部分にゴミが浸入付着することがなく清潔である。また、パネルベース１０の円筒状リブ９の外径面に複数個の三角突起状リ１２ブを備え、台座４の内径を円筒状リブ９に圧入する際に三角突起状リブ１２を潰すことで、台座４を圧入保持することにより、台座４を操作キーシート３の表面に密接固定するために、台座４の底面に接着テープ等を貼り接着するなどの構成をなくし、簡単に台座４の組立と固定ができ、作業性の改善を図ることができる。
【００２８】
（実施例３）
図３は、本発明の第３の実施例の加熱調理器の操作パネルの要部断面図である。図３において、１４は台座４の内径面に設けた複数個の三角突起状リブである。
【００２９】
以上のように構成された加熱調理器について、以下にその動作、作用を説明する。
【００３０】
まず、台座４をパネルベース１０の円筒状リブ９に圧入する際に、台座４の内径面に設けた複数個の三角突起状リブ１４を潰すことで、台座４を円筒状リブ９に圧入保持している。
【００３１】
以上のように、台座４をパネルベース１０の円筒状リブ９に圧入する際に、台座４の内径面に設けた複数個の三角突起状リブ１４を潰すことで、台座４を円筒状リブ９に圧入保持できるのは、実施例２と同様の作用であるが、円筒状リブ９の外径面に複数個の三角突起状リブ１２を設けた場合と比較して、樹脂成形金型を作成する際に金型表面を一部ケガキ線を引くように削るだけでよく、三角突起状リブ高さの変更も容易に行なえるので金型作成の時間と費用を削減することが出来るうえに、リブ高さの微妙な変更が可能になるので、作業性が良く堅固な圧入保持ができる。
【００３２】
【発明の効果】
以上のように、請求項１〜８に記載の発明によれば、台座の先端径ｄを設定用ツマミの根元径ｄと略同一径とし、根元径Ｄを先端径ｄより大きくすることにより、指先が操作キーシート面に擦れないので操作感を損ねることはなく、また、設定用ツマミの底部と操作キーシートが離れているので、タイマ軸が傾いたり、タイマ本体が傾いて取付けられた場合でも、設定用ツマミ底部と操作キーシート面との距離が変化し、設定用ツマミが操作キーシート面に対してフラフラと蛇行するように見えることはなく、使用者が設定用ツマミに不具合が有るかのように感じることがなくなり、操作時の品位を向上するすることができる。また、台座の内径面に複数個の三角突起状リブを設けることで、台座を円筒状リブに圧入保持しているので、台座の底面に接着テープ等を貼り接着するなどの構成をなくし、簡単に台座の組立と固定ができ、作業性の改善を図ることができる。
【図面の簡単な説明】
【図１】本発明の実施例１における加熱調理器の操作パネルの要部断面図
【図２】本発明の実施例２における加熱調理器の操作パネルの要部断面図
【図３】本発明の実施例３における加熱調理器の操作パネルの要部断面図
【図４】従来の加熱調理器の外観斜視図
【図５】従来の加熱調理器の操作パネルの要部断面図
【符号の説明】
２  操作パネル
３  操作キーシート
４  台座
５  設定用ツマミ
８  保持用ボス
９  円筒状リブ（パネルベース）
１０  パネルベース
１１  回転操作軸（タイマー等）
１２  三角突起状リブ（台座の内径）
１３  スプリングバネ
１４  三角突起状リブ（円筒状リブの外径）
１５  三角突起状リブ（保持用ボス内径）
１８  貫通穴（操作パネル）
【図１】
2004212011.tif 000003
【図２】
2004212011.tif 000004
【図３】
2004212011.tif 000005
【図４】
2004212011.tif 000006
【図５】
2004212011.tif 000007